(57)【要約】  初めに、高密度相流体洗浄に関するプロセスパラメータが決定される。その後、基板を入れた洗浄チャンバがこれらのプロセスパラメータに基づいて高密度相流体で加圧される。それから基板は、再びこれらのプロセスパラメータに基づいて高密度相流体で洗浄される。次いで洗浄チャンバから排出流体が排出され、その後に分析される。それからこれらのプロセスパラメータは、排出流体の分析に基づいて調整されたプロセスパラメータに調整される。その後再び、洗浄チャンバは加圧され、洗浄が繰り返される。この加圧と洗浄は、調整されたプロセスパラメータに基づいている。またこの加圧と洗浄は、基板が十分に清浄になるまで繰り返される。
2007524228.tif 000002
【特許請求の範囲】
【請求項１】
高密度相流体を受け入れるための入口と排出流体を排出するための出口とを有する洗浄チャンバと、
前記出口に流体的に連結され、前記排出流体を分析するように構成された分析器と、
前記分析器による前記排出流体の分析に少なくとも部分的に基づいて前記洗浄チャンバ内での高密度相流体洗浄プロセスを制御するための、前記分析器に電気的に接続されたコントローラと、を含むコンピュータ制御式高密度相流体洗浄システム。
【請求項２】
前記コントローラに電気的に接続されていて、前記チャンバ内の温度を制御する温度制御システムを更に含む、請求項１に記載のコンピュータ制御式高密度相流体洗浄システム。
【請求項３】
前記温度制御システムは前記チャンバ内にヒータを含む、請求項２に記載のコンピュータ制御式高密度相流体洗浄システム。
【請求項４】
前記ヒータは前記コントローラに電気的に接続されていて、前記チャンバ内の温度を上げるように構成されている、請求項３に記載のコンピュータ制御式高密度相流体洗浄システム。
【請求項５】
前記ヒータは抵抗性加熱要素である、請求項３に記載のコンピュータ制御式高密度相流体洗浄システム。
【請求項６】
前記温度制御システムは冷却システムを含む、請求項２に記載のコンピュータ制御式高密度相流体洗浄システム。
【請求項７】
前記冷却システムは前記チャンバを取り囲む冷却ジャケットを含む、請求項６に記載のコンピュータ制御式高密度相流体洗浄システム。
【請求項８】
前記冷却システムは更に、
前記冷却ジャケットの入口に流体的に連結された冷却剤容器と、
前記冷却ジャケットの前記入口と前記冷却ジャケットの出口との間に流体的に連結された熱交換器と、
前記冷却ジャケットの前記入口と前記冷却ジャケットの出口との間に流体的に連結され、前記コントローラに電気的に接続されたポンプと、を含む、請求項７に記載のコンピュータ制御式高密度相流体洗浄システム。
【請求項９】
前記出口と前記入口との間に高密度相流体回路を更に含む、請求項１に記載のコンピュータ制御式高密度相流体洗浄システム。
【請求項１０】
前記高密度相流体回路に沿って配置され、前記コントローラに電気的に接続された圧力ポンプを更に含む、請求項９に記載のコンピュータ制御式高密度相流体洗浄システム。
【請求項１１】
前記高密度相流体回路に沿って配置された流体容器を更に含む、請求項９に記載のコンピュータ制御式高密度相流体洗浄システム。
【請求項１２】
前記出口に流体的に連結され、前記排出流体から汚染物質を分離するように構成されたセパレータを更に含む、請求項９に記載のコンピュータ制御式高密度相流体洗浄システム。
【請求項１３】
前記流体回路に連結された化学薬品容器を更に含む、請求項１に記載のコンピュータ制御式高密度相流体洗浄システム。
【請求項１４】
前記洗浄チャンバ内に撹拌器を更に含む、請求項１に記載のコンピュータ制御式高密度相流体洗浄システム。
【請求項１５】
高密度相流体を受け入れるための入口と排出流体を排出するための出口とを有する洗浄チャンバと、
前記出口に流体的に連結され、前記排出流体を分析するように構成された分析器と、
前記分析器による前記排出流体の分析に少なくとも部分的に基づいて前記洗浄チャンバ内での高密度相流体洗浄プロセスを制御するための、前記分析器に電気的に接続されたコントローラと、
前記コントローラに電気的に接続されていて、前記チャンバ内の温度を制御する温度制御システムと、
前記コントローラに接続され、前記出口と前記入口との間の高密度相流体回路に沿って配置された圧力ポンプと、を含むコンピュータ制御式高密度相流体洗浄システム。
【請求項１６】
高密度相流体洗浄のためのプロセスパラメータを決定するステップと、
前記プロセスパラメータに基づいて基板を入れた洗浄チャンバを高密度相流体で加圧するステップと、
前記プロセスパラメータに基づいて前記基板を前記高密度相流体で洗浄するステップと、
前記洗浄チャンバから排出流体を排出するステップと、
前記排出流体を分析するステップと、
前記プロセスパラメータを前記分析に基づいて調整されたプロセスパラメータに調整するステップと、
前記調整されたプロセスパラメータに基づいて前記加圧するステップと前記洗浄するステップとを反復するステップと、を含む、高密度相流体を使用して基板を洗浄するための自動化された方法。
【請求項１７】
前記加圧するステップは高密度相流体を前記洗浄チャンバ内にポンプ注入するステップを含む、請求項１６に記載の自動化された方法。
【請求項１８】
前記洗浄チャンバ内の温度と圧力とを継続的に測定するステップと、前記プロセスパラメータに基づいて前記洗浄チャンバ内の圧力と温度とを制御するステップと、を更に含む、請求項１６に記載の自動化された方法。
【請求項１９】
前記分析するステップの前に、再循環のために前記排出流体を前記高密度相流体内に分離するステップを更に含む、請求項１６に記載の自動化された方法。
【請求項２０】
前記分析するステップは、前記排出流体の成分の濃度を決定するステップを含んでおり、前記成分は汚染物質、化学薬品、反応副生物、化学マーカー、およびこれら上記成分の任意の組合せからなるグループから選択される、請求項１６に記載の自動化された方法。
【請求項２１】
前記プロセスパラメータは、温度、圧力、各温度における消費時間、各圧力における消費時間、各温度と圧力との組合せにおける消費時間、化学薬品のタイプ、高密度相流体のタイプ、化学薬品の体積、高密度相流体の体積、化学薬品の組合せ、高密度相流体の組合せ、相遷移頻度、圧力サイクル、および上記事項の任意の組合せからなるグループから選択される、請求項１６に記載の自動化された方法。
【発明の詳細な説明】
【技術分野】
【０００１】
本発明は、一般的には半導体基板洗浄システムに関する。より詳しくは本発明は、汚染物質除去を分析することによって高密度相流体洗浄システムを制御するための自動化されたシステムと方法とに関する。
【背景技術】
【０００２】
一般に半導体基板、例えばシリコンウェハは、各基板を多数の個別プロセス、例えばフォトマスキング、エッチング、打込み、および洗浄に順次に曝すことによって、半導体チップに処理される。洗浄は典型的には、基板の表面からのレジスト洗浄および／または残留物エッチングを必要とする。
【０００３】
一般に基板の表面を洗浄するための二つの方法、すなわち湿式処理と乾式処理とが存在する。湿式処理は、基板を高価な化学溶液または溶媒でスプレーする、および／または浸漬するという一連のステップからなる。これら従来の溶媒に支援された洗浄プロセスは現在、環境問題のために再評価されつつある。更に最近の環境法制定は、湿式処理で使用される有機溶剤の多くが禁止されるか、厳しく制限されることを命じている。これに対して乾式処理は、基板を洗浄するために湿式の化学溶液の代わりにガスを使用する一連のステップからなる。例えばＯ2プラズマを使用する灰化。しかしながらこのようなプロセスはしばしば、乾式洗浄の後に残留物を残し、これはこのような残留物が素子障害の原因となり、あるいは動作効率を制約する可能性があるので、容認できない。
【０００４】
更に最近では、半導体基板からエッチング残留物および／またはフォトレジストを除去するために、副溶媒または界面活性剤を持つ、または持たない高密度相気体または流体、例えば二酸化炭素（ＣＯ2）が導入されている。高密度相流体は、液体様密度を達成するために超臨界状態または未臨界状態いずれかに圧縮された気体である。これらの高密度相流体または流体混合物は、高密度流体とも呼ばれる。有機溶媒、例えばｎ-ヘキサンまたは１，１，１トリクロロエチレンとは異なり、高密度流体は、独特の物理的および化学的特性、例えば低い表面張力、低い粘性、および可変の溶質保持容量を示す。
【０００５】
高密度相流体による洗浄は、このような流体が液体の特性を保持しながら気体の拡散性と粘性を有するので、望ましい。更に高密度相流体洗浄技術は、危険な化学薬品の使用を大幅に減らす、または除去することと、天然資源例えば水を保存することと、以前は可能でなかった仕事を、例えば半導体素子の小さな特徴要素（例えばレジスト画像、ＶＬＳＩ（超大規模集積回路）形状的特徴要素、例えばバイアなど）の迅速な精密洗浄を遂行することと、のために多くの工業プロセスにおいて適用可能である。超臨界流体は、ウェハ表面から汚染物質を除去して基板の表面を効果的に洗浄する溶媒として機能する。しかしながら超臨界高密度相流体の洗浄の有効性は典型的には、半導体製造に使用される材料と反応する化学薬品または副溶媒の添加によって高められる。化学薬品、例えば副溶媒の添加は一般に高密度相流体洗浄を使用しても完全には除去されないので、このような化学薬品を許容可能な水準に保つために洗浄時に化学薬品の使用量を継続的に監視するシステムと方法とが強く望まれるであろう。
【０００６】
更に高密度相流体洗浄は、多くの調整可能なプロセスパラメータ、例えば圧力、温度、処理時間、使用される副溶媒の量などを有する。したがって洗浄に関して最適なプロセスパラメータを決定することは困難である。したがってこのようなプロセスパラメータを最適化するシステムと方法とが強く望まれるであろう。
【０００７】
事情を更に複雑にすることに、洗浄されるすべての基板は、異なる形状的特徴要素と異なる組成を持っている。したがってすべての汚染物質を除去するためにすべての基板に正確に対応できる究極の所定のプロセスパラメータは一般には存在しない。したがって各基板の変化にリアルタイムで自動的に対応するシステムと方法とが強く望まれるであろう。
【発明の開示】
【０００８】
本発明によれば、コンピュータ制御式高密度相流体洗浄システムが提供される。この洗浄システムは好適には、洗浄チャンバと分析器とコントローラと温度制御システムとを含む。洗浄チャンバは、高密度相流体を受け入れるための入口と排出流体を排出するための出口とを有する。分析器は、出口に流体的に連結され、排出流体を分析するように構成される。コントローラは、分析器による排出流体の分析に少なくとも部分的に基づいて洗浄チャンバ内での高密度相流体洗浄プロセスを制御するために分析器に電気的に接続される。温度制御システムもまた、コントローラに電気的に接続される。温度制御システムは、チャンバ内の温度を制御する。圧力ポンプは、好適にはコントローラに接続され、また好適には出口と入口との間の高密度相流体回路に沿って配置される。
【０００９】
好適な実施形態では、温度制御システムはチャンバ内のヒータであるか、あるいは冷却システムである。この冷却システムは好適には、チャンバを取り囲む冷却ジャケットと、冷却ジャケットの入口に流体的に連結された冷却剤容器と、冷却ジャケットの入口と冷却ジャケットの出口との間に流体的に連結された熱交換器と、冷却ジャケットの入口と冷却ジャケットの出口との間に流体的に連結されたポンプと、を含む。このポンプは好適には、コントローラに電気的に接続される。
【００１０】
好適な実施形態では、冷却ジャケットの入口と冷却ジャケットの出口との間にポンプが流体的に連結される。このポンプはまた、コントローラに電気的に接続される。好適な実施形態では、セパレータが出口に流体的に連結される。このセパレータは、排出流体から汚染物質を分離するように構成される。流体回路には化学薬品容器も連結され得る。同様に、洗浄チャンバ内には撹拌器が配置され得る。
【００１１】
更に本発明のもう一つの実施形態によれば、高密度相流体を使用して基板を洗浄するための自動化された方法が提供される。高密度相流体洗浄に関するプロセスパラメータが決定される。この後で基板を入れた洗浄チャンバが、これらのプロセスパラメータに基づいて高密度相流体で加圧される。それから基板は、これらのプロセスパラメータに基づいて高密度相流体で洗浄される。排出流体は、洗浄チャンバから排出されて分析される。それからプロセスパラメータは、この分析に基づいて調整されたプロセスパラメータにリセットされる。それから基板が清浄になるまで、これらの調整されたプロセスパラメータに基づいて加圧と洗浄とが繰り返される。
【００１２】
好適な実施形態では、加圧するステップは高密度相流体を洗浄チャンバ内にポンプ注入するステップを含む。また温度と圧力は好適には、洗浄チャンバ内で継続的に測定される。温度と圧力はまた好適には、プロセスパラメータに基づいて制御される。排出流体の分析は好適には、排出流体内の汚染物質、化学薬品、反応副生物（単数または複数）、化学マーカー（単数または複数）、およびこれら上記成分の任意の組合せの濃度を決定する。更に、これらのプロセスパラメータは、温度（単数または複数）、圧力（単数または複数）、各温度における消費時間、各圧力における消費時間、各温度と圧力との組合せにおける消費時間、化学薬品のタイプ、高密度相流体のタイプ、化学薬品の体積、高密度相流体の体積、化学薬品の組合せ、高密度相流体の組合せ、相遷移頻度、圧力サイクル、などを含む。
【００１３】
したがって本発明は、基板から汚染物質をより効率的かつ効果的に除去する。更に本発明は、各基板の変化にリアルタイムで自動的に対応する。
【００１４】
本発明の本質と目的のより良い理解のために、添付図面と関連してなされた説明は以下の詳細な説明に参照されるべきである。
これらの図面の数個の図を通して、同様な参照数字は対応する部分を指している。
【発明を実施するための最良の形態】
【００１５】
図１は、本発明の一実施形態による自動化された高密度相流体洗浄システム１００の概略ブロック図である。このシステム１００は、基板１０４を洗浄するために使用される。基板１０４は、好適には半導体ウェハであるが、洗浄を必要とする他の如何なる構成要素であってもよい。下記の詳細説明では単に１枚の基板が説明されるが、如何なる数の基板でも同時に処理できることは理解されるべきである。例えば基板１０４は、１バッチの多数の個別基板からなる可能性がある。実際に、１半導体バッチでは２５枚から１００枚のウェハが同時に処理されることは一般的であり、洗浄システム１００は１バッチ全体の基板を収容するように構成される。
【００１６】
この高密度相流体洗浄システム１００は好適には、基板１０４を洗浄するために高密度相流体が使用される洗浄チャンバ１０２を含む。高密度相流体は、洗浄される基板の物理的または化学的特性を低下させない温度と圧力で超臨界流体に変換され得る、または液化され得る既知のガスの如何なるものも含む。これらのガスは典型的には、（１）炭化水素、例えばメタン、エタン、プロパン、ブタン、ペンタン、ヘキサン、エチレン、およびプロピレン、（２）ハロゲン化炭化水素、例えばテトラフルオロメタン、クロロジフルオロメタン、六フッ化硫黄およびパーフルオロプロパン、（３）無機物、例えば二酸化炭素、アンモニア、ヘリウム、クリプトン、アルゴン、三酸化硫黄および亜酸化窒素、および（４）これらの混合物を含むが、これらに限定されない。ここで使用される用語「高密度相流体」は、このような高密度相流体の混合物を含むように意図されている。
【００１７】
更に特定の汚染物質を除去するために使用される高密度相流体は、目標とする汚染物質の溶解度化学特性に類似した溶解度化学特性を有するように選択される。例えばもし水素結合が、ある汚染物質の内部凝集エネルギー容量または安定度に大きな寄与をするならば、選択される高密度相流体は、溶媒和が起こるために少なくとも適度の水素結合能力を所有しなくてはならない。ある幾つかのケースでは、所望の溶媒特性を持つように、二つ以上の高密度相流体の混合物が組み合わされる可能性がある。選択された高密度相流体はまた、洗浄される基板に適合しなければならず、また好適には低いコストと高い保健性と高い安全性とを有する。更に高密度相流体は、基板からの有害な汚染物質の除去を助けるための一つ以上の化学薬品、例えば副溶媒または界面活性剤を含むことがあり得る。
【００１８】
二酸化炭素は、低価格で無毒であるので本発明を実施する際の使用ために好適な高密度相流体である。二酸化炭素の臨界温度は、約３０５°Ｋ（３２℃）であって、臨界圧力は約７２．９気圧（１０５７ｐｓｉ）である。これらの臨界圧力と臨界温度の更に詳細な説明は、参照によってここに組み入れられている米国特許第５，０１３，３６６号に見ることができる。臨界圧力より高い圧力において二酸化炭素の相は、３０５ケルビン（Ｋ）の臨界温度より高く、または低く温度を変化させることによって液相と超臨界流体相との間で遷移（シフト）し得る。更に液体二酸化炭素は、少なくとも約３０５°Ｋ（３２℃）において約４．１４気圧（６０ｐｓｉ）から約３４．４７気圧（５００ｐｓｉ）の間の圧力にあるときに洗浄のために有用である。同様に気体二酸化炭素は、少なくとも約３０５°Ｋ（３２℃）において約７２気圧（１０４４ｐｓｉ）から約２０６気圧（３０００ｐｓｉ）の間の圧力にあるときに洗浄のために有用である。温度は上げることができ、これは洗浄効率の助けになり得る。プロセス温度は、基板材料によって制限される。
【００１９】
好適な実施形態では洗浄チャンバ１０２は好適には、約４．１４気圧（６０ｐｓｉ）から約２０６気圧（３０００ｐｓｉ）の間の内部圧力で動作するように構成される。更に好適な実施形態では洗浄チャンバ１０２は、約６．９気圧（１００ｐｓｉ）と約１３８気圧（２０００ｐｓｉ）との間の内部圧力で動作するように構成される。最も好適な実施形態では洗浄チャンバ１０２は、液体に関しては約３０５°Ｋ（３２℃）において約４．１４気圧（６０ｐｓｉ）から約３４．４７気圧（５００ｐｓｉ）の間の内部圧力で、また少なくとも約３０５°Ｋ（３２℃）において約７３．７７気圧（１０７０ｐｓｉ）から約１２４．１気圧（１８００ｐｓｉ）の間の内部圧力で、動作するように構成される。
【００２０】
これらの高い圧力で動作するために洗浄チャンバ１０２は、当業者によく知られた特性を持つように設計される。例えば洗浄チャンバ１０２は、内部圧力を広げるために環状または球形の内部を持つことができ、適当な鋼、例えばＳＳ３１６などで作ることができる。
【００２１】
システム１００は更に、温度制御システムを含む。この温度制御システムは好適には、チャンバ１０２内の温度を上げるためにチャンバ１０２内に配置されたヒータアセンブリ１０６を含む。このヒータアセンブリ１０６は好適には、コントローラ１０８に電気的に接続される。好適な実施形態ではヒータアセンブリは、高密度相流体との直接的接触から電気的化学的に隔離されている抵抗性加熱要素である。コントローラ１０８は好適には、ヒータアセンブリ１０６に供給される電力を制御することによって好適にヒータアセンブリ１０６の温度を精密に制御するコンピュータである。コントローラ１０８は好適には、アナログまたはディジタル入力、例えば洗浄チャンバ内の温度と圧力を、あるいは分析器１３６からの結果を受信して、温度制御システムと種々のポンプおよび／またはバルブ（弁）にアナログ出力またはディジタル出力を送信する。このコントローラは好適には、中央処理装置（ＣＰＵ）と、通信回路と、入力／出力ポートと、オペレーティングシステム、データベース、および他の測定値と制御ソフトウエア例えばメニュー方式のアドバンスド・プロセス開発制御（ＡＰＤＣ）ソフトウエアを入れているメモリと、を含む。
【００２２】
本システムは更に、チャンバが一定圧力に保持されながら流体を循環させるために撹拌器１４４を含む。好適な大容積バッチシステムでは撹拌器は高密度相流体を機械的に撹拌するためのプロペラ型撹拌器であるが、好適な単一ウェハ半導体チャンバでは撹拌器は基板を回転させることによって基板表面全体に亘る流体の動きが達成される回転ウェハチャックである。代替として撹拌器は、流体の動きを維持するためにチャンバ圧力と同じ圧力の閉ループを有する再循環ジェットでもよく、あるいはチャンバが一定圧力に保持されながらも基板表面全体に亘る連続的な流体の動きを保証するように設計された入口ジェットでもよい。更に他の実施形態では、上記の如何なる組合せでも十分であろう。
【００２３】
温度制御システムはまた好適には、洗浄チャンバ１０２内の温度を下げるように構成された冷却システム１１０を含む。この冷却システム１１０は好適には、冷却剤を蓄積するための冷却剤容器１１２と、冷却剤ジャケット１１６、または洗浄チャンバ１０２を取り囲むことができるが冷却コイルなどであり得る他の適当な構造体と、冷却剤回路１２４に冷却剤を循環させるためのポンプ１１８と、冷却剤から熱を取り除くための熱交換器１２０と、種々のバルブ（図示せず）と、を含む。ポンプ１１８は、コントローラ１０８に電気的に接続される。使用時にコントローラ１０８は、冷却材容器１１２から冷却剤ライン１１４を通して冷却剤ジャケット１１６内に、また冷却剤ジャケット１１６を通して冷却剤を導入するようにポンプ１１８を動作させることによって洗浄チャンバ１０２内の温度を下げる。冷却剤ジャケット１１６から排出される、より暖かい冷却剤は、冷却剤容器１１２に冷却剤を蓄積する前に余分な熱を除去するために熱交換器１２０を通過させられる。したがってコントローラ１０８は、ヒータアセンブリ１０６または冷却剤システム１１０を動作させることによって洗浄チャンバ１０２内の温度を正確に上げたり、下げたりすることができる。
【００２４】
システム１００はまた、高密度相流体洗浄システムそのものを含む。この高密度相流体洗浄システムは、高密度相流体回路１２１と、高密度相流体容器１２２と、圧力ポンプ１２４と、高密度相流体を洗浄チャンバ１０２内に導入するための入口ライン１２６と、洗浄チャンバ１０２から排出流体を排出するための出口ライン１２８と、を含む。この高密度相流体洗浄システムはまた好適には、一つ以上の化学薬品容器（単数または複数）１３２と、この化学薬品容器（単数または複数）内に入れられた化学薬品（単数または複数）を高密度相流体回路１２１内にポンプ注入するための化学薬品ポンプ１３４と、を含む。ここで使用される化学薬品という用語は、一つ以上の副溶媒、界面活性剤、添加剤などを含む。圧力ポンプ１２４と化学薬品ポンプ１３４は、コントローラ１０８に電気的に接続される。使用時にコントローラ１０８は、流体入口１２６を介して化学薬品を持つ、または持たない高密度相流体を洗浄チャンバ１０２内に導入するために圧力ポンプ１２４と化学薬品ポンプ１３４とを動作させる。洗浄チャンバ１０２内の圧力を維持するために、排出流体は洗浄チャンバ１０２から出口１２８を介して排出される。
【００２５】
システム１００はまた好適には、排出流体の組成を決定するための分析器システムを含む。この分析器システムは好適には、排出流体の成分を分離するためのセパレータ１３０を含む。分析器システムはまた好適には、分離された成分を分析するための分析器１３６を含む。この分析器は、顕微鏡、重量分析器、分光分析器、クロマトグラフィー分析器などのような視覚的識別装置であり得る。この分析器は、コントローラ１０８に電気的に接続される。
【００２６】
最後にシステム１００はまた好適には、洗浄チャンバ１０２内に入れられた温度センサー１４０と圧力センサー１４２とを含む。これらの温度センサー１４０と圧力センサー１４２は両者とも、コントローラ１０８に電気的に接続される。
【００２７】
高密度相流体を使用し、コントローラ１０８によって制御される、基板１０４を洗浄するためのプロセスは、図３を参照しながら説明される。通常の洗浄時間は典型的には、１バッチ処理に関しては約２０分から６０分であり、単一基板処理に関しては３分未満、好適には１分である。
【００２８】
図２は、図１のシステム１００を使用して基板を洗浄するために必要とされるプロセスパラメータを取得するための方法２００のフローチャートである。プロセスパラメータは、高密度相流体の導入前の洗浄チャンバの初期の温度および圧力、高密度相流体洗浄を実行するための方法手順などを含む。この方法手順は、洗浄チャンバが洗浄中に反復すべき圧力および温度と、相遷移サイクルの数と、このサイクル内の各ステップに関する温度変化と、各温度および／または圧力における滞留時間と、を含む。この方法手順は、必要とされる汚染物質除去の程度に依存する。
【００２９】
好適な実施形態では本発明のプロセスを実行する際に使用される動作温度および圧力の値は、二つの方法のうちの一つを使用して計算される。第１に、プロセスパラメータは、計算２０２を介して決定することができ、この場合、公表されているデータから汚染物質の凝集エネルギー値が計算され、あるいは溶解度が得られ、その後、選択された高密度相流体の臨界温度および圧力の両者のデータに基づいて、また既知のガス溶媒方程式を使用して１セットの圧力／温度が計算される。これらの計算は、コントローラ１０８（図１）によって実行される。第２に、プロセスパラメータは、経験に基づいて決定することができる２０４。
【００３０】
プロセスパラメータを経験に基づいて決定するためのプロセス２０４は、ステップ２０６から始まる。ステップ２０８で、初期のまたは予備的なセットのプロセスパラメータがコントローラ１０８（図１）のメモリにロードされる。これらの初期プロセスパラメータは、ステップ２０２で計算されたものであるか、あるいは本システムのオペレータによって入力されたものでもよい。これらの初期プロセスパラメータにしたがって、ステップ２１０で高密度相流体回路１２１（図１）に化学薬品が添加される。それからステップ２１２で洗浄チャンバは、化学薬品を持つ、または持たない高密度相流体で加圧または充填される。この高密度相流体と化学薬品（単数または複数）は、新しいか、再生利用されるか、あるいは再循環されるか、いずれでもよい。それからステップ２１４で、洗浄チャンバ内の基板は、プロセスパラメータにしたがって、好適には基板を１サイクル以上の相遷移サイクルに曝すことによって高密度相流体を使用して洗浄される。洗浄中はステップ２１６で、圧力と温度がセンサー１４０、１４２（図１）によって絶えず測定される。次いでステップ２１８で、除去された汚染物質を含む排出流体が洗浄チャンバから排出される。
【００３１】
それから好適にはセパレータ１３０（図１）は、高密度相流体を排出流体の残余分から分離する。それからステップ２２０で分析器１３６は、排出流体の残余分の内容を分析する。このような分析は好適には、排出流体内に存在する汚染物質または化学薬品の量、品質、タイプ、濃度および／または純度を決定する。この目的のためには、視覚的分析、重量分析、分光分析、またはクロマトグラフィー分析が使用できる。
【００３２】
それから最適量の汚染物質が除去されたかどうかを決定するために、汚染物質除去の程度が種々のプロセスパラメータと相関付けされる。好適な実施形態では汚染物質の最適な量は、すべての汚染物質、あるいは少なくとも検出可能なすべての汚染物質である。それからステップ２２２で、分析の結果はコントローラのメモリ内に蓄積される。それからステップ２２４でコントローラは、プロセスパラメータを経験的に決定するためのプロセス２０４を完了したかどうかを決定する。これは、プロセス２０４を所定の回数だけ実行すること、所定の量のデータを取得すること、などによって決定できる。もしプロセス２０４は終了すべきである（２２４でＹｅｓ）と決定されれば、このプロセスはステップ２２６で終了する。代替としてもしプロセス２０４は終了すべきでない（２２４でＮｏ）と決定されれば、ステップ２２８でプロセスパラメータが調整され、そしてこのプロセスは、プロセス２０４が完了したとコントローラが決定するまで繰り返される。プロセスパラメータの調整は、初期温度および／または圧力を調整するステップ、洗浄圧力および／または温度を調整するステップ、高密度相流体に添加される化学薬品の量またはタイプを調整するステップ、各温度および／または圧力における消費時間を調整するステップなどを含むことができる。このようにして、取得された結果に依存して、選択されたプロセスパラメータは変えることができ、また汚染物質除去の程度へのプロセスパラメータの影響が決定できる。したがって特定の洗浄要件のために最適なプロセスパラメータが決定できる。有用であることが分かっている典型的なプロセスパラメータは、下記のもの：すなわち、約５〜１００Ｋだけ臨界温度より高い温度の変化、約５〜２５Ｋだけ臨界温度より低い温度の変化、約５〜１０Ｋの段階的温度変化、および約１〜６０分の各ステップにおける滞留時間を含むが、これらに限定されない。このようなプロセスパラメータが洗浄される基板に基づいて変わり得ることは留意されるべきである。
【００３３】
図３は、図１に関連して上記に説明された自動化された高密度相流体洗浄システム１００を使用して基板を洗浄するためのプロセス３００のフローチャートである。いったんこのプロセス３００がステップ３０２から始まると、コントローラは、ステップ３０３で基板を洗浄するための所定の基準を設定する。これらの基準は好適には、除去されることが必要とされる汚染物質の量または体積と、洗浄後に排出流体内に残留すべき化学薬品の量または体積などを含む。これらの基準は好適には、システム１００（図１）のオペレータによって設定され、その後このプロセスは完了するまで、更なる人の介入なしで続行される。それからステップ３０４で、初期プロセスパラメータが決定される。これらのプロセスパラメータは、温度（単数または複数）、圧力（単数または複数）、各温度または圧力における消費時間（単数または複数）、化学薬品（単数または複数）のタイプと量または体積、高密度相流体（単数または複数）のタイプと量または体積、化学薬品（単数または複数）または高密度相流体（単数または複数）の濃度、相遷移頻度、圧力サイクル、などを含む。このような初期プロセスパラメータは好適には、図２に関連して上記に説明されたセットアッププロセス２００を使用して決定される。
【００３４】
それから洗浄すべき基板１０４（図１）が洗浄チャンバ１０２（図１）内に配置され、図１に関連して上記に説明されたように温度制御システムを使用して、ステップ３０８で洗浄チャンバ１０２（図１）内の初期温度が設定される。それからステップ３１０で洗浄チャンバは好適には、パージされる。洗浄チャンバをパージすることは、所望の高密度相流体（単数または複数）および／または化学薬品（単数または複数）だけが洗浄チャンバ内に導入されることを保証する。洗浄チャンバをパージすることはまた、前の洗浄セッションからの汚染物質を減らす。もしプロセスパラメータによって必要とされるのであれば、ステップ３１２で一つ以上の化学薬品が高密度相流体に添加される。化学薬品（単数または複数）の量とタイプはプロセスパラメータによって決定される。これらの化学薬品は、新しいものか、再生利用されたものか、再循環されたものか、いずれでもよい。
【００３５】
それからステップ３１４で洗浄チャンバ１０２（図１）は、圧力ポンプ１２４（図１）によって入口ライン１２６（図１）を介して、化学薬品を持つ、あるいは持たない高密度相流体で充填または加圧される。洗浄チャンバ１０２（図１）は、特定の高密度相流体に関する臨界圧力以上の圧力に加圧される。この臨界圧力は一般に、約２０気圧（１平方インチ当たり３００ポンド、あるいは１平方センチメートル当たり２０．６キログラム）と１０２気圧（１平方インチ当たり１５００ポンド、あるいは１平方センチメートル当たり１０５．４キログラム）との間にある。処理圧力は好適には、必要とされる溶媒スペクトルの幅と、関連する相遷移範囲とに依存して、１気圧と臨界圧力より高い２７２気圧（１平方インチ当たり１５ポンドと４０００ポンド、あるいは１平方センチメートル当たり１．０３キログラムと２８１．０４キログラム）との間にある。この高密度相流体は、新しいものか、再生利用されたものか、再循環されたものか、いずれでもよい。
【００３６】
それからステップ３１６で、好適にはプロセスパラメータにしたがって１サイクル以上の相遷移サイクルに基板を曝すことによって洗浄が行われる。典型的にはこれは、超臨界液体と超臨界気体との間で高密度相流体を循環させるように温度を上げ、また下げるステップを含む。言い換えれば洗浄チャンバ１０２（図１）内の温度は、高密度相流体に関する臨界温度より低い温度（未臨界）または臨界温度以上の温度（超臨界）に調整される。次に洗浄チャンバ１０２（図１）は、この流体に関する臨界圧力以上の圧力に加圧される。それから高密度流体の相は、除去すべき汚染物質のタイプと量によって決定されるように、臨界点より高いところから低いところまでの所定の範囲に亘って温度を変化させることによって、前述のように液体状態と超臨界状態との間を遷移（シフト）する。高密度流体として二酸化炭素が使用されるときには、洗浄チャンバの温度は３０５Ｋより高い温度と低い温度の間で循環させられる。温度と圧力とガス流量の制御は、既知の方法を使用し、圧力および温度センサー１４０、１４２（図１）によって取得された測定値に基づいて、コントローラ１０８（図）の制御下で遂行される。この洗浄はまた、超音波式または機械式撹拌などを使用するノズルによって高密度相流体を方向付けするステップを含むこともあり得る。
【００３７】
いったん洗浄チャンバ１０２（図１）内の圧力が臨界圧力より高い所望の点に達すると、洗浄チャンバ内を一定の圧力に維持しながら洗浄チャンバを通る排出流体の連続的な流れを与えるために、圧力ポンプ１２４（図１）が継続的に動作し、出口１２８（図１）が開かれる。代替として出口１２８（図１）は、バッチ処理に備えるために、汚染物質を除去するように一定の圧力降下における十分な長さの時間の後に開放されてもよい。例えば２０分の洗浄期間に亘る２７２気圧（４，０００ｐｓｉ）から１０２気圧（１５００ｐｓｉ）への圧力降下が達成される。
【００３８】
この洗浄は、バッチ型洗浄でも連続洗浄でもよい。ここで「バッチ」は、化学的バッチを指しており、同時に処理される基板の数を指すものではない。バッチ型洗浄に関して洗浄チャンバ１０２（図１）は、所望のレベルに加圧され、高密度相流体の温度は、高密度相流体の臨界温度より高いか低いかどちらかである、相遷移順序に関する開始点に調整される。洗浄チャンバ１０２（図１）は、元の圧力開始点から臨界圧力より低い圧力に、繰り返し加圧され、減圧される。汚染物質のタイプと実行される加圧／減圧ステップとに依存して洗浄チャンバ１０２（図１）の温度は、順次に上／下に調整される。
【００３９】
連続洗浄プロセスに関して高密度流体は、洗浄チャンバ１０２（図１）内の圧力を臨界圧力に、あるいはそれより高く維持するために、汚染された流体が出口１２８（図１）を介して除去されると同じ流量で圧力ポンプ１２４（図１）によって洗浄チャンバ１０２（図１）内に導入される。このタイプのプロセスは、洗浄チャンバ１０２（図１）内の高密度流体の相が温度サイクルを通じて未臨界状態と超臨界状態との間で前後に遷移（シフト）しながら、汚染された排出流体の連続的な除去を行っている。
【００４０】
洗浄プロセス全体を通して洗浄チャンバ内の圧力と温度は、ステップ３１８でセンサー１４０、１４２（図１）によって測定される。これらの圧力と温度の測定値は、プロセスパラメータにしたがって洗浄チャンバ内の圧力と温度を絶えず調整するためにこれらの測定値を使用するコントローラ１０８（図１）に送信される。
【００４１】
それから汚染物質または排出流体を含む、結果として得られた高密度流体は、ステップ３２０で洗浄チャンバ１０２（図１）の出口１２８（図１）から排出される。それからセパレータ１３０（図１）は好適には、飛沫同伴された汚染物質（化学薬品（単数または複数）を含む）を排出流体から除去し、それによって高密度相流体の再生利用（リサイクル）を可能にする。高密度相流体は再利用のために流体容器１２２（図１）に再循環させられるが、飛沫同伴された汚染物質は汚染物質除去レベルを決定するためにステップ３２２で分析器１３６（図１）によって分析される。このような分析は好適には、排出流体内に存在する汚染物質およびまたは化学薬品の量、品質、タイプ、濃度および／または純度を決定する。
【００４２】
このような分析３２２は、視覚的分析３３２または他の適当な分析３３４によって行われ得る。このような分析は、排出流体内に存在する汚染物質の量とタイプ、排出流体内に残留する化学薬品の量などを決定する。この目的のために、重量分析、分光分析、またはクロマトグラフィー分析が使用できる。排出流体内に存在する汚染物質の量が排出流体内に存在する化学薬品の量に反比例する、すなわち汚染物質が増加するにつれて化学薬品が減少し、その逆も真であることは留意されるべきである。
【００４３】
それからこの分析の結果は、コントローラに送られ、ステップ３２４でこれらの結果は所定の基準と比較される。好適な実施形態では、所定の基準は基板からすべての汚染物質を除去することであり、あるいは少なくとも検出可能なすべての汚染物質を除去することである。それからステップ３２６でコントローラは、この比較３２４から基板の洗浄が所定の基準を満足させるかどうかを決定する。もし洗浄が所定の基準を満足させる（３２６でＹｅｓ）ならば、このプロセスはステップ３３０で終了する。しかしながらもし洗浄が所定の基準を満足させない（３２６でＮｏ）ならば、ステップ３２８でプロセスパラメータが調整され、ステップ３１０で洗浄チャンバはパージされ、ステップ３２６で所定の基準が満たされる時までこのプロセスのステップ３１０〜３３０が繰り返される。洗浄チャンバ１２は、各温度変化で必要とされるだけの回数、高密度相流体で再加圧され、減圧される可能性がある。有用であることが分かっている典型的なプロセスパラメータは、下記のもの：すなわち、約５〜１００Ｋだけ臨界温度より高い温度の変化、約５〜２５Ｋだけ臨界温度より低い温度の変化、約５〜１０Ｋの段階的温度変化、および約１〜６０分の各ステップにおける滞留時間を含むが、これらに限定されない。このようなプロセスパラメータが洗浄される基板に基づいて変わり得ることは留意されるべきである。基準が満たされたかどうかを決定し、プロセスパラメータを調整するこのフィードバックループは好適にはリアルタイムで、自動化された仕方で、すなわちこれ以上の如何なる人手の介入もなしで実行される。しかしながら好適な実施形態では、自動化された洗浄サイクルをオペレータが打ち消すことを可能にするオーバーライド（打消し機能）が存在する可能性がある。
【００４４】
本発明の幾つかの特定の実施形態の前述の説明は、例示と説明の目的のために提示されたものである。これらは、網羅的であることも、本発明を開示された正確な形式に限定することも意図していない。例えばここに説明された如何なる方法も、単に本発明を実施する一つの方法を例示することを意図した例に過ぎない。上記の教えを考慮すれば多くの修正と変形が可能であることは明らかである。これらの実施形態は、本発明の原理と本発明の実際の応用とを最もよく説明するために、またそれによって、考えられる特定の用途に適するように、当業者が本発明と種々の修正による種々の実施形態とを最もよく利用することを可能にするために、選択され説明されたものである。更に本方法におけるステップの順序は、必ずしも配列された順序に行われることを意図していない。本発明の範囲は前記の請求項とそれらの同等事項とによって定義されることが意図されている。
【図面の簡単な説明】
【００４５】
【図１】フィードバック制御を使用する自動化された高密度相流体洗浄システムの概略ブロック図である。
【００４６】
【図２】図１に記載された自動化された高密度相流体洗浄システムによって使用される初期プロセスパラメータをセットアップする、または取得するためのプロセスのフローチャートである。
【００４７】
【図３】請求項１に記載の自動化された高密度相流体洗浄システムを使用して基板を洗浄するためのプロセスのフローチャートである。
【図１】
2007524228.tif 000003
【図２】
2007524228.tif 000004
【図３】
2007524228.tif 000005
【手続補正書】
【提出日】平成19年6月13日(2007.6.13)
【手続補正１】
【補正対象書類名】特許請求の範囲
【補正対象項目名】全文
【補正方法】変更
【補正の内容】
【特許請求の範囲】
【請求項１】
高密度相流体を受け入れるための入口と排出流体を排出するための出口とを有する洗浄チャンバと、
前記出口に流体的に連結され、前記排出流体を分析し、かつ所定の基準を記録するように構成された分析器と、
前記出口と前記入口との間の高密度相流体回路であって、除去される汚染物質を含む前記排出流体の一部を再循環させて前記洗浄チャンバ内に戻すのに適合した高密度相流体回路と、
前記分析器に電気的に接続され、前記分析器による前記排出流体の前記分析が所定の基準が達成されたことを示すまで、前記洗浄チャンバ内に戻る前記一部の排出流体の再循環および前記洗浄チャンバ内の高密度相流体洗浄プロセスの両方の制御を繰り返し行うのに適合したコントローラと、を含むコンピュータ制御式高密度相流体洗浄システム。
【請求項２】
前記コントローラに電気的に接続されていて、前記チャンバ内の温度を制御する温度制御システムを更に含む、請求項１に記載のコンピュータ制御式高密度相流体洗浄システム。
【請求項３】
前記温度制御システムは前記チャンバ内にヒータを含む、請求項２に記載のコンピュータ制御式高密度相流体洗浄システム。
【請求項４】
前記ヒータは前記コントローラに電気的に接続されていて、前記チャンバ内の温度を上げるように構成されている、請求項３に記載のコンピュータ制御式高密度相流体洗浄システム。
【請求項５】
前記ヒータは抵抗性加熱要素である、請求項３に記載のコンピュータ制御式高密度相流体洗浄システム。
【請求項６】
前記温度制御システムは冷却システムを含む、請求項２に記載のコンピュータ制御式高密度相流体洗浄システム。
【請求項７】
前記冷却システムは前記チャンバを取り囲む冷却ジャケットを含む、請求項６に記載のコンピュータ制御式高密度相流体洗浄システム。
【請求項８】
前記冷却システムは更に、
前記冷却ジャケットの入口に流体的に連結された冷却剤容器と、
前記冷却ジャケットの前記入口と前記冷却ジャケットの出口との間に流体的に連結された熱交換器と、
前記冷却ジャケットの前記入口と前記冷却ジャケットの出口との間に流体的に連結され、前記コントローラに電気的に接続されたポンプと、を含む、請求項７に記載のコンピュータ制御式高密度相流体洗浄システム。
【請求項９】
前記高密度相流体回路に沿って配置された前記排出流体の少なくとも一部を前記洗浄チャンバ内に再循環させて戻すための圧力ポンプであって、前記コントローラに電気的に接続された圧力ポンプを更に含む、請求項１に記載のコンピュータ制御式高密度相流体洗浄システム。
【請求項１０】
前記高密度相流体回路に沿って配置された流体容器であって、前記洗浄チャンバ内で再利用するための排出流体の少なくとも一部を含む液体を貯蔵する流体容器を更に含む、請求項１に記載のコンピュータ制御式高密度相流体洗浄システム。
【請求項１１】
前記出口に流体的に連結されたセパレータであって、前記分析器による分析のために前記排出流体から汚染物質を分離するように構成されたセパレータを更に含む、請求項１に記載のコンピュータ制御式高密度相流体洗浄システム。
【請求項１２】
前記流体回路に連結され、一種以上の化学薬品を前記排出流体の循環部分に供給する化学薬品容器を更に含む、請求項１に記載のコンピュータ制御式高密度相流体洗浄システム。
【請求項１３】
前記洗浄チャンバ内に撹拌器を更に含む、請求項１に記載のコンピュータ制御式高密度相流体洗浄システム。
【請求項１４】
前記洗浄チャンバ内の前記高密度相流体洗浄プロセスの前記繰り返し制御がリアルタイムで行われる、請求項１に記載のコンピュータ制御式高密度相流体洗浄システム。
【請求項１５】
高密度相流体を受け入れるための入口と排出流体を排出するための出口とを有する洗浄チャンバと、
前記出口に流体的に連結され、前記排出流体を分析し、かつ前記分析値を記録するように構成された分析器と、
前記出口と前記入口との間の高密度相流体回路であって、除去される汚染物質を含む前記排出流体の一部を再循環させて前記洗浄チャンバ内に戻すのに適合した高密度相流体回路と、
前記分析器に電気的に接続され、前記分析器による前記排出流体の前記分析値が所定の基準が達成されたことを示すまで、前記洗浄チャンバ内に戻る前記一部の排出流体の再循環および前記洗浄チャンバ内の高密度相流体洗浄プロセスの両方の制御を繰り返し行うのに適合したコントローラと、
前記コントローラに電気的に接続されていて、前記チャンバ内の温度を制御する温度制御システムと、
前記コントローラに接続され、前記出口と前記入口との間の高密度相流体回路に沿って配置された圧力ポンプであって、前記排出流体の少なくとも一部を前記洗浄チャンバ内に再循環させるのに適合した圧力ポンプと、
を含むコンピュータ制御式高密度相流体洗浄システム。
【請求項１６】
前記洗浄チャンバ内の前記高密度相流体洗浄プロセスの前記繰り返し制御がリアルタイムで行われる、請求項１５に記載のコンピュータ制御式高密度相流体洗浄システム。
【国際調査報告】
2007524228.tif 000006
2007524228.tif 000007